(57)【要約】      （修正有）【課題】伸縮性、通気性が高く水分の浸透性、脱水性も良好で安心、簡単、清潔で、中までしっかり洗うことができ、速乾性を有し、使用者が満足し得る装用感を実現できる中わた材入り製品を提供する。【解決手段】中わた材入り製品は、伸縮性、通気性のある中わた基材の一方の面又は両面に、化学合成繊維・羊毛・手引きシルク素材等の内から選ばれる素材からなる中わた素材を配置し、当該中わた基材と中わた素材とを例えば固定キルティング糸を用いて固着して形成した中わた材１０３を、伸縮性、通気性のある各種中わた材入り製品の表生地１０６、裏生地１０７の間に充填してなるものである。【選択図】図５
0003232347.tif 000002
【実用新案登録請求の範囲】
【請求項１】
伸縮性、通気性のある中わた基材のいずれか一方の面又はその両面に、化学合成繊維・羊毛・手引きシルク等の内から選ばれる素材からなる中わた素材を配置し、当該中わた素材と前記中わた基材とを、キルティングや糸の融着や接着剤などを用いて固着して形成した中わた材を、製品の表生地、裏生地の間に充填して形成したことを特徴とする中わた材入り製品。
【請求項２】
前記中わた基材の伸縮性を５％以上で、通気性を７ｃｃ／ｃｍ２・ｓｅｃ以上とするとともに、前記製品の表生地・裏生地のいずれか一方の面又は双方の面に、伸縮５％以上で、通気性７ｃｃ／ｃｍ２・ｓｅｃ以上の生地を使用したことを特徴とする請求項１記載の中わた材入り製品。
【請求項３】
前記中わた材入り製品は、製品の表面積において０．０２５ｍ２以上の範囲に、製品の表生地、裏生地の間に充填する中わた材固定のためのキルティング加工処理をしていないキルティング無しの領域を有するようにしたことを特徴とする請求項１又は２記載の中わた材入り製品。
【請求項４】
前記中わた材入り製品は、キルティング加工処理をしていないキルティング無し領域を有するように構成したとともに、この構成により、製品の表生地、裏生地の間に充填されている補修の必要が生じた際の対象部位である中わた材を、外部から摘んで引き剥がして補修した後、当該中わた材を元の部位に戻すことができるようにしたことを特徴とする請求項１乃至３のいずれか１項に記載の中わた材入り製品。
【請求項５】
前記中わた材入り製品は、キルティング加工処理をしていないキルティング無し領域を有するように構成したとともに、この構成により、キルティング糸を解いての修理や廃棄の際の分別が容易なように構成したものであることを特徴とする請求項１乃至４のいずれか１項に記載の中わた材入り製品。
【請求項６】
前記中わた材入り製品は、中わた材を構成する中わた素材と中わた基材が、水分、洗浄液が浸透可能、洗浄可能で、かつ、脱水性と通気性を具備することにより速乾性を有するものであることを特徴とする請求項１乃至５のいずれか１項に記載の中わた材入り製品。
【請求項７】
前記中わた材入り製品は、衣類又は寝具類であることを特徴とする請求項１乃至６のいずれか１項に記載の中わた材入り製品。
【考案の詳細な説明】
【技術分野】
【０００１】
本考案は、中わた材入り製品（例えば衣類・寝具類等）に関し、詳しくは、伸縮性、通気性が高く、水分の浸透性、脱水性も良好で、安心、簡単、清潔で、中までしっかり洗うことができ・速乾性を有し、使用者が満足する装用感を実現し得るインナーをはじめとする中わた材入り製品に関するもので、簡易に洗濯でき、補修できることにより商品寿命を延ばすことを可能にし、また、廃棄の際には容易に分別可能として環境問題にも配慮した中わた材入り製品である。
【背景技術】
【０００２】
従来の中わた入りの商品は、通気性の少ない生地を使用し、製品自体を、ふくらみを持たせ保温効果を上げる商品を作るのが通常である。
【０００３】
すなわち、中わたが噴き出ない程度の繊維密度を有した側生地（表生地、裏生地）を使用して、又は中わたが噴き出ししないよう不織布を側生地の裏に入れたり、側生地の裏にフィルム張り加工をしたり、中わた自体を不織布で封入したのち商品に充填わたを充填し商品を生産しているのが通常である。
【０００４】
しかし、このような従来例ではふくらみが強く更に一度入った空気が出にくいことから小さくなりにくく収納性が悪かったり、空気の出入流動がしにくいことから一度入った空気が邪魔になり、例えばアパレルではその膨らみが身体可動域に制限を付けてしまったり、また洗いの際には専門店でしか洗えないうえ中まで水が浸透せずしみ込んだ汗や汚れに対して心配な点があった。例えば寝具では水が中まで入らなかったり空気が抜けず洗浄液を製品内に浸透させにくく中綿まで綺麗に洗えず乾きにくかったり、バルーン現象を起こして洗いの際に浮いてしまい洗えなかったりなどの問題があった。
【０００５】
また、中わた入り製品は、中わたの偏りを防ぐためキルトが表裏にわたり施してあり一度作った製品を分解し修理することは難しかった。
【０００６】
特許文献１には、中綿入りジャケットなどの被服用の中綿入り衣類や、中綿入りブランケットなどの中綿入り家庭用リネン品の製造に関する考案であって、中綿入りのジャケットもしくは他の衣類、又はブランケットなどの中綿入り衣料を得るために中綿入りとなるべき衣料の充填部にカシミヤ短繊維を充填し、カシミヤ繊維塊を受け入れ、カシミヤ短繊維を供給するように構成された梳綿機を有する梳綿場と、前記カシミヤ短繊維と交差するように構成され、前記カシミヤ短繊維を交錯させ、前記カシミヤ短繊維から残留不純物及び塵埃を除去するように構成された気流を供給する手段を有する打綿場と、前記カシミヤ短繊維を前記梳綿場から前記打綿場）に給綿する給綿手段と、前記カシミヤ短繊維を前記充填部に充填するための充填場と、前記カシミヤ短繊維を前記打綿場から前記充填場に給綿する給綿手段と、を備える、装置及び充填方法が提案されている。
【０００７】
しかし、特許文献１の場合、中綿入り衣類や衣料の充填部を構成する生地や綿等の伸縮性や通気性について格別の配慮はなされておらず、このため、使用者の装用感や中までしっかり洗うことができ・速乾性の点で十分な機能を発揮することは難しいと推定される。
【先行技術文献】
【特許文献】
【０００８】
【特許文献１】特開２０１７−１３３１４６号公報
【考案の概要】
【考案が解決しようとする課題】
【０００９】
本考案は、従来における上記事情に鑑み開発されたものであり、伸縮性、通気性が高く水分の浸透性、脱水性も良好で安心、簡単、清潔で、中までしっかり洗うことができ・速乾性を有し、使用者が満足する装用感を実現し得る製品を得ることができ、更には、キルト加工部を少なくして高密度の生地などにある縫い線が目立つようなこともなく、壊れたような場合でも縫製糸を解いての修理が容易で商品寿命を延すことが可能で、更には廃棄の際の分別を容易とする製品を得ることができる中わた材入り製品を提供するものである。
【００１０】
すなわち、本考案は、中わた基材として、縦方向、横方向、或いは縦方向又は横方向のいずれか一方向に、メッシュ生地を含む伸縮性（率）５％以上で、通気性７ｃｃ／ｃｍ２・ｓｅｃ以上の伸縮性・通気性を具備し、均一にならされたシート状の当該中わた基材のいずれか一方の面、若しくはその両面に、中わた素材を配置して、この中わた素材と中わた基材とを、均等にシート状にキルティングや糸の融着や接着剤を用いて充填用の中わた材を形成し、当該中わた材を各種衣類や寝具等の製品の表生地、裏生地の間に充填して中わた材入り製品を形成したものである。
【課題を解決するための手段】
【００１１】
本考案に係る中わた材入り製品は、伸縮性（率）、通気性（度）のある中わた基材のいずれか一方の面、又は両面に、化学合成繊維・羊毛又は手引きシルク等の素材からなる中わた素材を配置し、当該中わた基材と中わた素材とを、キルティングや糸の融解、接着剤などを用いて固着し形成した中わた材を、伸縮性、通気性のある製品の表生地、裏生地間に充填してなることを最も主要な特徴とする。
【００１２】
このような本考案によれば、衣類や寝具類等の製品の表生地、裏生地の間に充填される中わた材を、中わた素材と中わた基材とをキルティングを施し形成しているとともに、伸縮性、通気性を有する素材で製品の表生地、裏生地を構成することにより、運動や身体の可動が良好となり、洗濯、脱水も良好で安心、簡単、清潔で、中までしっかり洗うことができ・速乾性を具備し、また、後記するように、製品にキルティング無し領域を大きく有するように構成することにより、前記中わた材に対する補修の際も、解く縫製糸が少なくなり分解修理が容易になるだけでなく、中わた材が噴き出したような場合は、当該噴き出た中わた材と製品生地を摘んで引き剥がすようにして簡易に内部に戻すことができるので、補修も容易で廃棄のための分別（中わた材と製品側生地）も容易にすることができる斬新な中わた材入り製品を形成できる。
【考案の効果】
【００１３】
請求項１記載の考案によれば、中わた素材に、メッシュ生地等の中わた基材をキルト加工することにより中わた材の強度を上げ、中わた材を中わた素材と中わた基材とを一体化させて形成し、これを製品に充填することにより、製品の外周部を縫うだけでキルティングなどの加工を不要としつつ製品を形成することが可能で、伸縮性、通気性が高く水分の浸透性、脱水性も良好で安心、簡単、清潔で、中までしっかり洗うことができ・速乾性を有し使用者が満足する装用感を実現し得る製品を得ることが可能な中わた材入り製品を実現し提供することができる。
【００１４】
請求項２記載の考案によれば、請求項１記載の考案において、中わた基材の伸縮性を５％以上で、通気性を７ｃｃ／ｃｍ２・ｓｅｃ以上とするとともに、前記製品の表生地・裏生地のいずれか一方の面又は双方の面に、伸縮５％以上で、通気性７ｃｃ／ｃｍ２・ｓｅｃ以上の生地を使用したことから、伸縮性、中までしっかり洗うことができ・速乾性が良好な中わた材入り製品を実現し提供することができる。
【００１５】
請求項３記載の考案によれば、請求項１又は２記載の考案において、製品の表面積において０．０２５ｍ２以上に、製品の表生地、裏生地の間に充填する中わた材固定のためのキルティング加工処理をしていないキルティング無しの領域を有することから、修理や廃棄のための分別を容易にし、プリントや装飾に対して凹凸によるデザインの劣化を起こさないことが可能なキルティング加工領域を少なくした中わた材入り製品を実現し提供することができる。
【００１６】
請求項４記載の考案によれば、請求項１乃至３のいずれか１項記載の考案において、キルティング加工処理をしていないキルティング無し領域を有するように構成したとともに、この構成により、中わた材入り製品の表生地・裏生地・中わた材に補修の必要が生じた際に、縫製部分が少ないことから容易に分解を可能とするだけでなく、製品生地より中わた材が出てきてしまった場合も、外側より製品生地と中わた材を摘んで引き剥がすことにより、容易に補修した後、中わた材を元の部位に戻すことができるようにした中わた材入り製品を実現し提供することができる。
【００１７】
請求項５記載の考案によれば、請求項１乃至４のいずれか１項記載の考案において、キルティング加工処理をしていないキルティング無し領域を有するように構成したとともに、この構成により、キルティング糸を解いての修理や廃棄の際の分別が容易なように構成した中わた材入り製品を実現し提供することができる。
【００１８】
請求項６記載の考案によれば、請求項１乃至５のいずれか１項記載の考案において、中わた材とともに、中わた材を構成する内部の中わた基材が、水分、洗浄液が浸透可能、洗浄可能で、かつ、脱水性と通気性を具備することにより速乾性を有することから、洗濯性に優れ安心、簡単、清潔で、中までしっかり洗うことができ・速乾性を有する扱い易い中わた材入り製品を実現し提供することができる。
【００１９】
前記請求項１乃至６のいずれか１項に記載の中わた材入り製品を、衣類又は寝具類として形成した場合、使用感の一層良好な衣類又は寝具類を実現できる。
【図面の簡単な説明】
【００２０】
【図１】図１は本考案の実施例に係る中わた材入り製品、例えば衣類の外観を示す概略正面図であり、（ａ）は製品の正面へのキルティング加工を具備する場合の図面、（ｂ）は製品へのキルティング加工を具備しない場合の図面を示すものである。
【図２】図２は本考案の実施例に係る中わた材入り製品、例えば衣類の外観を示す概略正面図であり、（ａ）は製品の背面へのキルティング加工を具備する場合の図面、（ｂ）は製品の背面へのキルティング加工を具備しない場合の図面を示すものである。
【図３】図３は本実施例に係る中わた材入り製品における中わた材を構成する中わた基材と中わた素材を重合した状態で、固定キルティングを施し、中わた素材側から見た状態の斜視図である。
【図４】図４は本実施例に係る中わた材入り製品における中わた材を構成する中わた基材と中わた素材を重合した状態で、固定キルティングを施し、中わた基材側から見た状態の斜視図である。
【図５】図５は本実施例に係る中わた材入り製品を構成する中わた材、製品表生地、製品裏生地、及び固定キルティング糸（インサイドキルティングの糸）の斜視図であり、（ａ）は中わた素材側から見た斜視図、（ｂ）は中わた基材側から見た斜視図である。
【考案を実施するための形態】
【００２１】
本考案は、伸縮性、通気性が高く水分の浸透性、脱水性も良好で安心簡単清潔な中までしっかり洗うことができ・速乾性を有し、使用者が満足する装用感を実現し得る製品を得ることができる中わた材入り製品を実現し提供するという目的を、伸縮性、通気性のある中わた基材の一方の面又は双方の面に、化学合成繊維・羊毛又は手引きシルク等の素材からなる中わた素材を配置し、当該中わた基材と前記中わた素材とを、キルティングや固定縫製糸や糸の融解や接着剤などを用いて固着して伸縮性を具備するようにして形成した中わた材を、伸縮性、通気性のある製品の表生地、裏生地の間に充填してなるものである。
【実施例】
【００２２】
以下、図面を参照して、本考案の実施例に係る中わた材入り製品について詳細に説明する。
【００２３】
本実施例に係る中わた材入り製品１０１は、図１、図２等に示すように、伸縮性、通気性のある中わた基材（例えばメッシュ状生地）１０２の一方もしくは両方の面に、化学合成繊維・羊毛又は手引きシルク等を用いて構成される中わた素材１０５を配置し、当該中わた基材１０２と前記中わた素材１０５とを、例えば固定キルティング糸１０４や糸の融解や接着剤などを用いて固着して形成した中わた材１０３を、伸縮性、通気性のある製品１０１の表生地、裏生地間に充填し、製品１０１内で中わた材１０３を固定するためにキルティング１０８を施して製品化したものである。
【００２４】
本考案においては、製品１０１内で中わた材１０３を固定するためのキルティング１０８の有無を問うものではない。
【００２５】
図１は（ａ）は製品１０１の正面にキルティング１０８を具備する場合の図面であり、（ｂ）は製品１０１の正面にキルティング１０８を具備しない場合の図面を示すものである。
【００２６】
図２は（ａ）は製品１０１の背面にキルティング１０８を具備する場合の図面であり、（ｂ）は製品１０１の背面にキルティング１０８を具備しない場合の図面である。
本実施例では、製品１０１の表・裏生地のうちの少なくとも一方又は双方に、伸縮性（率）５％以上、通気性７ｃｃ／ｃｍ２・ｓｅｃ以上の生地を使用している。また、製品１０１の前記中わた基材（例えばメッシュ状生地）１０２についても同様である。
【００２７】
すなわち、本実施例に係る中わた材入り製品１０１は、中わた基材１０２として、縦方向、横方向、或いは縦方向又は横方向のいずれか一方向に、メッシュ生地を含む伸縮性（率）５％以上、通気性７ｃｃ／ｃｍ２・ｓｅｃ以上の伸縮性、通気性を具備し、均一にならされたシート状の中わた素材１０５を用いて、前記中わた基材１０２のいずれか一方の面、若しくはその両面に、中わた素材１０５を配置し、これら中わた基材１０２と中わた素材１０５とを均等にシート状にキルティング１０４等をして固定し充填用の中わた材１０３を形成する。
【００２８】
このようにして形成した中わた材１０３を各種製品の表生地、裏生地の間に充填して縫製して中わた材入り製品１０１を形成する。
【００２９】
また、前記中わた材入り製品１０１において例えば製品の表面積において図２、図３に示すように、中わた材１０３の固定のための製品１０１の表面積において０．０２５ｍ２以上、すなわち、使用者の体の表もしくは裏どちらか一面の面積の１／１０以上のキルティング加工処理をしていないキルティング無し領域１０９を設けている。
キルティング無し領域１０９を設けている理由は、製品１０１の表側生地から裏側生地にわたる中わた材１０３の固定のためのキルティング加工１０８が無い方が保温性が上がるだけでなく、伸縮・補修・分解を容易にするためである。
【００３０】
次に、図３、図４を参照して、本実施例に係る中わた材入り製品１０１における中わた材１０３における中わた基材（例えばメッシュ状生地）１０２、中わた素材１０５を構成する例えば化学合成繊維・羊毛・手引きシルク、又は中わた材１０３、固定キルティング糸１０４の形態について説明する。
【００３１】
図３は、本実施例に係る中わた材入り製品１０１における中わた材１０３を構成する中わた素材１０５、及び固定キルティング糸１０４を、中わた素材１０５側から見た拡大態様を示し、図４は、本実施例に係る中わた材入り製品１０１における中わた材１０３を構成する中わた素材１０５及び固定キルティング糸１０４を、中わた基材１０２側から見た拡大態様を示すものである。
【００３２】
前記中わた材１０３は、前記中わた素材１０５、中わた材１０３に施した固定キルティング糸１０４や糸の融解や接着剤で中わた基材１０２と中わた素材１０５とを固定されている。
【００３３】
以上説明したように、本実施例に係る中わた材入り製品１０１においては、中わた基材１０２を伸縮性５％以上で、通気性７ｃｃ／ｃｍ２・ｓｅｃ以上のものとするとともに、製品１０１の表生地・裏生地のいずれか一方の面又は双方の面に、伸縮５％以上で、通気性７ｃｃ／ｃｍ２・ｓｅｃ以上の生地を使用して製品を形成している。
【００３４】
また、本実施例に係る中わた材入り製品１０１は、製品化した中わた材入り製品１０１における製品の表面積において、０．０２５ｍ２（或いは１／１０）以上の中わた材１０３と製品の固定のためのキルティング処理をしていない領域１０９を有した中わた材入り製品１０１とすることにより、製品１０１に補修が必要な際も、解く縫製糸が少なくなり分解修理が容易になるだけでなく、中わた材１０３が噴き出した場合は噴き出した生地と中わた材１０３の部分を摘まみ引き剥がすようにすることにより、簡易に噴き出した中わた材１０３を補修後に内部に戻すことができ、また、キルティング処理をしていない領域１０９を廃棄のための分別も容易にすることができる。
【００３５】
更に、製品１０１の表生地、裏生地に伸縮性を有したものを使用すると、例えば伸縮性が製品に生まれ、使用者の運動や精密な作業に向けた身体の可動域に対して制限を及ぼさない中わた材入り製品１０１を作ることができる、
【００３６】
更にまた、以上説明した中わた材入り製品によれば、例えば通気性が高いことから水もよく通り洗いに対しては洗浄液も良く入り脱水も効率よく行えることから、中わた基材１０３を含めて中まで綺麗に洗浄可能であり、かつ、脱水効果と通気性により速乾性を有する製品を作ることができ、簡易にきれいに洗い乾かすことが可能なことから製品寿命を延ばすことができ、クリーニングする回数を減らせることから工業汚染水を減らすことにも貢献できる。
【００３７】
以下、基準数値の一つであるである伸縮性の試験について説明する。
伸縮性（率）（伸長弾性率、伸長回復率）についての試験方法は、ＪＩＳＬ１０９６  伸び率試験Ｂ法を採用した。
【００３８】
伸縮性（率）の測定試験にはＡ法からＤ法まで試験方法があるが、ここでは一般的によく用いられるＢ法（織物の定荷重法）について説明する。
【００３９】
幅５０ｍｍ長さ３００ｍｍの試験片を縦方向及び横方向に３枚ずつ調整し、全幅をつかむように引張試験機、又はこれと同等の性能を持つ装置にセットした後、２００ｍｍ間隔（Ｌ０）に印を付け１４．７Ｎの荷重を加える。１分間保持後の間隔印寸法（Ｌ１）を測定し、伸縮性（率）（％）＝｛（Ｌ１−Ｌ０）／Ｌ０｝×１００の計算により伸縮性（率）（％）を求めた。
【００４０】
次に、通気性について説明する。
【００４１】
一般的に従来の羽毛蒲団の側地には、羽毛の噴き出しを防止するためフラジール法による通気量が通常２ｃｃ／ｃｍ２・ｓｅｃ以下の生地が使われている。
【００４２】
また、財団法人日本布団協会発行の「睡眠環境と寝具」によれば、羽毛から発生する微細羽毛体の抜けを防止するため、織物の平織、綾織では通気量が３ｃｃ／ｃｍ２・ｓｅｃ以下、朱子織では２．５ｃｃ／ｃｍ２・ｓｅｃ以下、合成繊維製織物では２ｃｃ／ｃｍ２・ｓｅｃ以下という低通気量の織物を使用するよう定められている。
【００４３】
すなわち、上記財団法人日本布団協会発行の「睡眠環境と寝具」によれば、羽毛から発生する微細羽毛体の抜けを防止するため、織物の平織、綾織では通気量が３ｃｃ／ｃｍ２・ｓｅｃ以下、朱子織では２．５ｃｃ／ｃｍ２・ｓｅｃ以下、羊毛布団では通気量が平織５ｃｃ／ｃｍ２・ｓｅｃ以下、綾織・朱子織４ｃｃ／ｃｍ２・ｓｅｃ以下。また「一般財団法人ボーケン品質評価機構のボーケン基準（繊維製品）生地・製品検査  品質基準一覧表」によれば、ベビー衣料・小物類に羽毛を充填した場合は通気量が３ｃｃ／ｃｍ２・ｓｅｃ以下、羊毛・合繊を充填した場合は５ｃｃ／ｃｍ２・ｓｅｃ以下という低通気量の織物を基準として定められている。
【００４４】
試験方法は，ＪＩＳＬ１０９６  通気性試験  Ａ法（フラジール形法）を採用した。
【００４５】
ここに、通気性試験とは、生地の組織の隙間を通る空気の量を調べることにより、生地の通気性の程度を評価する試験である。通気性試験にはＡ法からＣ法まで試験方法があるが、ここでは一般的によく用いられるＡ法（フラジール形法）について説明する。
【００４６】
１．約２００ｍｍ×２００ｍｍの試験片を５枚調整してフラジール形試験機に取り付ける。
【００４７】
２．傾斜形気圧計が１２５Ｐａの圧力になるように吸込みファン及び空気孔を調整し、そのときの垂直形気圧計の示す圧力を測定する。
【００４８】
３．測定した圧力と使用した空気孔の種類から、試験機に付属している換算表によって試験片の通過する空気量（ｃｍ３／ｃｍ２・ｓ）を求める。
【００４９】
以上により、通気性を求めた。
【００５０】
なお、上述した実施例においては、中わた材１０３を構成する中わた基材１０２の片面に中わた素材１０５を配置する構成を示したが、中わた材１０３を構成する中わた基材１０２の両面に中わた素材１０５を配置し厚さを増大した構成とすることも可能である。
【産業上の利用可能性】
【００５１】
本考案の中綿入り製品は、前記したように、例えば動きやすくて洗いやすくインナーアウターにとらわれない各種衣類の形成は勿論、これに限らずキルティング加工を施す寝具や洗いが容易なことからこども用布団などにも最適で、マフラーなど肌に近い部分で使用するものなどにも最適な清潔感を提供することが出来る。また寝袋や寝袋の温かさを上げる寝間着などを作っても伸縮性があり装用感が優れていることから違和感なく着用して眠ることが出来る。また昨今の持続可能な開発目標としても洗濯の簡易を上げることによりクリーニングなどの汚染水を少なくしたり、日々の洗濯が簡易なことから商品への臭いのしみこみやシミの問題も改善できる。また、製品を長く使うための補修も従来の商品に比べ大きく進歩した商品を好適に構成・生産できる。
【符号の説明】
【００５２】
１０１    中わた材入り製品
１０２    中わた基材
１０３    中わた材
１０４    キルティング糸
１０５    中わた素材
１０８    キルティング
１０９    キルティング無し領域
【図１】
0003232347.tif 000003
【図２】
0003232347.tif 000004
【図３】
0003232347.tif 000005
【図４】
0003232347.tif 000006
【図５】
0003232347.tif 000007
【手続補正書】
【提出日】令和3年4月2日(2021.4.2)
【手続補正１】
【補正対象書類名】実用新案登録請求の範囲
【補正対象項目名】請求項１
【補正方法】変更
【補正の内容】
【請求項１】
伸縮性、通気性のある中わた基材のいずれか一方の面又はその両面に、化学合成繊維・羊毛・手引きシルクの内から選ばれる素材からなる中わた素材を配置し、当該中わた素材と前記中わた基材とを、キルティングや糸の融着や接着剤を用いて固着して形成した中わた材を、製品の表生地、裏生地の間に充填して形成したことを特徴とする中わた材入り製品。